(57)【要約】      （修正有）【課題】地震による木造住宅の崩壊を防ぎ、災害を最小限度にする為に施工する木造住宅リホーム耐震強化支保工法を提供する。【解決手段】木造住宅内側の１階部屋内１より支保鋼材８、１９、支保工小梁鋼材２８をベースにＨ鋼、Ｉ鋼、Ｃ鋼、Ｌ鋼、プレート鋼、角パイプ鋼、丸鋼をもちいて連結させた木造住宅補強構造とする。【選択図】図１
0003102539.tif 000002
【実用新案登録請求の範囲】
【請求項１】
0003102539.tif 000010
鋼角パイプ鋼１鋼各鋼材を使用して木造基本構造躯体を強化する目的の木造住宅リホーム
【請求項２】
0003102539.tif 000011
震強化支保工法に使用する目的の鋼材。
【請求項３】
0003102539.tif 000012
シャー［１４］ナット［１５］釘［１８］などにより支保工鋼材を各部所において木造基本構造躯体と１体化させて木造住宅内部に鉄骨構造物を施すことである。
【考案の詳細な説明】
【考案の詳細な説明】
【考案が属する技術分野】
【０００１】  この考案はすでに建築されてある木造住宅を地震災害から人命財産を守るべく地震に対する強化を計るために図面［１］図面［２］図面［３］図面［４］に示す様な構造工法を持ち得て木造基本構造躯体住宅を地震災害から守る為の工法で有り工事である。
【背景技術】
【０００２】  従来の技術においては補強用木材や木材基本構造躯体である柱  梁など連結部分を金具を持ち得て釘  ビス  ボルトなどで木造連結部を強化する為の工事はあったが本考案の図面に示す様な工法１は無かった。
【考案が解決しようとする課題】
【０００３】  本考案は、従来の技術とは構成及び構造、形式的にも、相違うもので有り前記
【背景技術】の覧に記載の様に相違う工法である。かつ従来の木造構造物強化システムとは比べものに成らない程に強化される工法である。  平成１５年８月１５日日曜日、ＮＨＫ総合１．チャンネル２１時、ＮＨＫスペシャルで報映の「２１世紀日本の課題．首都激震．直下型地震に東京は耐えられるか」を見て木造住宅の９０％以上が崩壊するとの事であるが、木造２階建の１階部から崩壊するが２階部は残る率が多いのである。激震、直下型地震でなくとも震度６〜７程度の地震でも、木造２階部が残り１階部が崩壊する率は高い事は広知である。  前記にのべた通りであるから酎震対策を施した、木造住宅でない場合は９０％以上の住宅１階部が崩壊する。よって、支保工法により耐震強化する事により住宅１階部分１よ崩壊する事がなく成る。よって、連鎖して、２階部の崩壊は非常に少く成る。
【課題を解決するための手段】
【０００４】  この考案は、地震による木造住宅の崩壊を防ぎ災害を最小限度にする為に施工する。木造住宅リホーム耐震強化支保工法である。  前記
【背景技術】の欄に記載の通りでもあるが、木造軸組工法の住宅では地震に弱いので、後記
【実施例】に記載の様にする事で、地震に強い住宅にする事が出来る。
【考案を実施するための最良の形態】
【０００５】  本考案は図面図１、図２、図３、図４、図５に示す通りの構成から成り前記
【考案の詳細な説明】
及び後記
【実施例】に示す通り木造基本構造躯体である。  １階部分を、内側よりリホーム耐震支保工法鉄骨構造にして、震度に最も弱い１階部を強化する。【０００６】  本考案の１、実施例であるますが、まずリホーム耐震支保工法工事中でも、１階部屋内部（１）の水回りであるキッチン・風呂・トイレなどは通常どおり使用出来る様配慮されて施工されます。  １階部屋内部（１）の内装床部材（２）内装天井部材（３）内装側部材（４）を解体取り除き、木造基本構造躯体を露出させ、それから柱支保工鋼材基礎（９）の施工に入ります。  基礎施工部分の土を掘り砕石を敷き、てん圧をして、捨コンを打設する。さらに木造基礎（５）の側面に鉄筋用ホールアンカー（６）を打込み、ネジ付の鉄筋（７）を取付け基礎の配筋を施工し、同0003102539.tif 000003
てからコンクリート打設においての型枠を組み、かつ固定してからコンクリートの打設を行い、硬化すれば柱保工鋼材基礎（９）が完成する。各、全部の柱支保工鋼材基礎が完成したら、あらかじめ工0003102539.tif 000004
基本構造躯体に足場用架設コンバネを敷事により各支保工鋼材取付け工事をスムーズに施工出来る様にする。0003102539.tif 000005
不安定であるので釘孔（１７）から釘（１８）を打込んで図面に示す様に仮固定する。0003102539.tif 000006
その連結場所の都合に合せ、連結用コマ（２０）かつ連結用ピース（２１）（２２）（２３）及び連結用フラット板（２４）（２５）及びボルト（１６）ワッシャー（１４）ナット（１５）などで連結固定するが１階部屋内部（１）では、レッカー車などは使用出来ないのでチルホール及び、チンブロック、ジャッキー付サポートや手動巻リフトなどを使用し巻上げ連結する。各鋼材を固定するまでの間、ジャッキー付サポートでサポートする。  上記までの取付が完了後、ただちに支保工小梁鋼材（２８）を各ピースを使用して取付け、完了したら、取付可能なヶ所全ヶ所に羽子板付きタンバックル付きブレース（３０）を取付け固定する。木0003102539.tif 000007
柱（１０）に孔を明け、その孔にボルト（２６）ボルト（１６）ワッシャー（１４）ナット（１５）0003102539.tif 000008
さらに角にある木造柱（１０）などは通し、ボルト（１６）は使用出来ないので木ネジ付ボルト（２７）ボルト（２６）などを使用し連結固定する。  木造基本構造躯体、柱、梁など各鋼材により耐震強化支保工法の完了後に内装工事に入ります。  各支保工鋼材は内装の内部に納るので各住人の好みのリホームが完成する。【０００７】  図面に示す様に木造軸組工法など木造基本構造躯体である木造柱（１０）木造梁（１１）など及び基本躯体を木造基礎（５）よりキャンバー（３２）までの部材をもって住宅を耐震強化する事が出来る。  よって、地震災害から住宅を強化し守れる事により人命や財産を守る事が出来る。
【図面の簡単な説明】
【図１】天上部、床部の支保工鋼材取付断平面図
【図２】１階部支保工鋼材取付断側面図
【図３】支保工鋼材取付１例明細図
【図４】支保工鋼材取付１例明細図
【図５】支保工法に使用する１例部材明細図
【符号の説明】
１  １階部屋内部２  内装床部材３    〃天上部材４    〃側〃〃５  木造基礎６  ホールアンカー７  鉄筋0003102539.tif 000009
９  柱支保工鋼材基礎１０  木造柱１１  木造梁１２  ベース１３  アンカーボルト１４  ワッシャー１５  ナット１６  ボルト１７  釘孔１８  釘１９  梁支保工鋼材２０  連結用ママ２２    〃〃ピース２３    〃    〃２４  連結用フラット板２５    〃      〃２６  ボルト２７  木ネジ付ボルト２８  支保工小梁鋼材２９  ボルト孔３０  羽子板タンバックル付ブレース３１  火口コマ３２  キャンバー３３  ２階部屋３４  外カベ３５  床コンクリート
【図１】
0003102539.tif 000013
【図２】
0003102539.tif 000014
【図３】
0003102539.tif 000015
【図４】
0003102539.tif 000016
【図５】
0003102539.tif 000017
【手続補正書】
【提出日】平成16年1月9日(2004.1.9)
【手続補正１】
【補正対象書類名】実用新案登録請求の範囲
【補正対象項目名】全文
【補正方法】変更
【補正の内容】
【実用新案登録請求の範囲】
【請求項１】
0003102539.tif 000018
工鋼材〔１９〕支保工小梁鋼材〔２８〕をベースにＨ鋼、Ｉ鋼、Ｃ鋼、Ｌ鋼、プレート鋼、角パイプ鋼、丸鋼をもちいて連結させ、鉄骨構造の構成を有する木造住宅補強構造。
【請求項２】
0003102539.tif 000019
に孔空きである特徴を有し、木造住宅保強構造物に使用する目的の鋼材。
【請求項３】
0003102539.tif 000020
ワッシャー〔１４〕ナット及釘〔１８〕を使用して木造柱〔１０〕とを接合連結する、構成を有して鉄骨構造物と木造住宅基本構造躯体を１体化する、木造住宅補強構造。